(57)【要約】【課題】  景品のディスプレイが途中で崩れることなく払出直前までそのままの状態を維持することができ、しかも、その動きでプレーヤを楽しませることのできる景品供給装置を提供する。【解決手段】  固定テーブル２４上の景品４４を移動させて払出口２８に落下させる景品獲得ゲーム装置１０に用いられる景品供給装置３８であって、景品４４を保持でき、かつ、景品４４を落下可能に形成された景品貯留手段４０と、固定テーブル２４上に積み上げられて景品貯留手段４０を景品保持状態に保つ複数のブロック材６２とを有し、積み上げられた複数のブロック材６２が固定テーブル２４上の景品に押されて崩れるか又は固定テーブル２４上から落下したときに景品貯留手段４０が景品４４を落下させる。【選択図】        図２
2006175039.tif 000002
【特許請求の範囲】
【請求項１】
台上の景品を移動させて払出口に落下させるゲーム装置に用いられる景品供給装置であって、
景品を保持でき、かつ、前記景品を落下可能に形成された景品貯留手段と、
台上に積み上げられて前記景品貯留手段を景品保持状態に保つ複数のブロック材とを有し、
積み上げられた前記複数のブロック材が台上の景品に押されて崩れるか又は台上から落下したときに前記景品貯留手段が景品を落下させることを特徴とする景品供給装置。
【請求項２】
請求項１において、
前記景品貯留手段は一部又は全部が傾動可能に形成され、傾動することにより保持状態の景品を落下させることを特徴とする景品供給装置。
【請求項３】
請求項２において、
前記複数のブロック材は、積み上げたときに前記景品貯留手段の一部又は全部を略水平に支える高さを有することを特徴とする景品供給装置。
【請求項４】
請求項２又は３において、
前記複数のブロック材を積み上げたときに、少なくとも上部のブロック材と前記景品貯留手段との相対移動を規制する規制部材を有することを特徴とする景品供給装置。
【請求項５】
請求項４において、
前記規制部材は前記景品貯留手段側と前記少なくとも上部のブロック材とを連結したひも部材であることを特徴とする景品供給装置。
【請求項６】
台上の景品を移動させて払出口に落下させるゲーム装置に用いられる景品供給装置であって、
景品を保持でき、かつ、景品を落下可能に形成された景品貯留手段と、
前記景品貯留手段を景品保持状態に支持する支え手段と、
積み上げ可能な複数のブロック材とを有し、
前記複数のブロック材のうち少なくとも１つが前記支え手段に連結され、
積み上げられた前記複数のブロック材が台上の景品に押されて崩れるか又は台上から落下したときに前記支え手段の支持を解除することを特徴とする景品供給装置。
【請求項７】
請求項６において、
前記景品貯留手段は一部又は全部が傾動可能に形成され、前記支え手段の支持を解除したときに傾動することを特徴とする景品供給装置。
【請求項８】
請求項１〜６のいずれかにおいて、
前記複数のブロック材は、ひも部材により各々が分離しないように連結されていることを特徴とする景品供給装置。
【請求項９】
請求項１〜８のいずれかにおいて、
前記複数のブロック材は内部に貫通穴を有し、前記貫通穴に通したひも部材により数珠繋ぎの形態で繋がれており、下端のブロック材は前記ひも部材の抜け止め部材をさらに有することを特徴とする景品供給装置。
【請求項１０】
請求項２〜９において、
前記景品貯留手段は、筒部材と、前記筒部材の下端開口を塞ぎ景品を保持する傾動可能な蓋部材とを有することを特徴とする景品供給装置。
【請求項１１】
請求項１０において、
前記筒部材は取り外し可能に設けられ、下端開口を塞ぐ傾動可能な補助蓋部材をさらに有することを特徴とする景品供給装置。
【請求項１２】
請求項１０又は１１において、
前記筒部材は保持する景品の量を変える容量変化部材を有することを特徴とする景品供給装置。
【発明の詳細な説明】
【技術分野】
【０００１】
本発明は、景品供給装置に関し、特に、景品獲得ゲーム装置においてチャンス時に景品を払い出すための景品供給装置に関する。
【背景技術】
【０００２】
一般に、景品獲得ゲーム装置と称されるゲーム装置が知られている。
【０００３】
この景品獲得ゲーム装置は、例えば、回転するターンテーブル上の景品をアーム先端のショベルで掬い上げてタイミングよく固定テーブル上に落とすと、落とされた景品は通路上を払出口に向かう方向へ前後に移動する押出し部材に押され、固定テーブル上に前もって載置された景品が順次押されて通路の側にある景品が払出口に落ちることにより獲得できるようになっている。
【０００４】
このようなゲーム装置においては、ターンテーブル上の景品を掬って固定テーブル上に落としても獲得できる景品の数はそれほど多くを期待できないため、一挙に多数の、あるいはターンテーブル上には置かれていない高級、あるいは特別な景品を獲得できるチャンスを与え、ゲームの興趣を高めるようにする提案がなされている。
【０００５】
例えば、横方向に延びる支軸を中心として揺動可能に支持された景品保持容器を配置し、この景品保持容器に対し前記支軸とは異なる軸を中心として揺動可能に上端が連結された突っ張り棒を用いたものがある（特許文献１参照）。
【特許文献１】特開２００４−１９４７５７号公報
【発明の開示】
【発明が解決しようとする課題】
【０００６】
特許文献１にあっては、突っ張り棒が景品によって押されて傾くと、それに伴って景品保持容器の底面が徐々に傾いてしまうこととなる。
【０００７】
したがって、景品保持容器上にせっかく作った景品のディスプレイが底面の傾きによって途中で崩れてしまうという問題があった。
【０００８】
また、景品保持容器上の景品の総重量が増加すると、突っ張り棒がその影響を受けて動きにくくなることもあった。
【０００９】
また、突っ張り棒だとそれが少しづつ動いても単調で変化に乏しく、もっとプレーヤの興味を引きつけるものが望まれていた。
【００１０】
本発明の目的は、景品のディスプレイが途中で崩れることなく払出直前までそのままの状態を維持することができ、しかも、その動きでプレーヤを楽しませることのできる景品供給装置を提供することにある。
【課題を解決するための手段】
【００１１】
前記目的を達成するため、本発明の景品供給装置は、台上の景品を移動させて払出口に落下させるゲーム装置に用いられる景品供給装置であって、
景品を保持でき、かつ、前記景品を落下可能に形成された景品貯留手段と、
台上に積み上げられて前記景品貯留手段を景品保持状態に保つ複数のブロック材とを有し、
積み上げられた前記複数のブロック材が台上の景品に押されて崩れるか又は台上から落下したときに前記景品貯留手段が景品を落下させることを特徴とする。
【００１２】
本発明によれば、台上に積み上げられて景品貯留手段を景品保持状態に保つ複数のブロック材が台上の景品に押されて崩れるか又は台上から落下するまでは、景品貯留手段が景品を保持した状態で維持するため、景品のディスプレイが途中で崩れることなく払い出し直前までそのままの状態を維持することができ、景品によるディスプレイ効果を高めることができる。
【００１３】
また、複数のブロック材が景品に押されて移動するだけでなく、崩れることによっても払い出しが行われるので、プレーヤの期待度を高めることができる。
【００１４】
また、積み重ねられた複数のブロック材が景品によって同じように押されても、単純に移動するだけでなく、回転したり、違う曲がり方でずれ動いたりすることとなり、ブロック材の押し出され方や崩れ方に意外性があり、プレーヤを楽しませることができ、しかも、隣りでも同様のプレーを行っている場合、ブロック材の動きの意外性によって隣りのプレーにも興味を抱かせることができる。
【００１５】
さらに、ブロック材の積み重ね方、配置の仕方で、楽しみな演出や今にも崩れそうな演出をすることが可能となる。
【００１６】
また、ブロック材に多角形状を採用した場合、ブロック材の向きを変更することで、景品の当たる面積を変更することができ、景品の払い出し具合を調整することができる。
【００１７】
本発明においては、前記景品貯留手段は一部又は全部が傾動可能に形成され、傾動することにより保持状態の景品を落下させることができる。
【００１８】
このような構成とすることにより、複数のブロック材が景品に押されて崩れるか又は台上から落下したときに景品貯留手段の一部又は全部が傾動して景品を確実に落下させるようにすることができる。
【００１９】
この場合、前記複数のブロック材は、積み上げたときに前記景品貯留手段の一部又は全部を略水平に支える高さを有するものとすることができる。
【００２０】
このような構成とすることにより、複数のブロック材によって景品貯留手段の一部又は全部を略水平に支えることで、景品貯留手段上の景品を崩れることなく確実に保持することができる。
【００２１】
景品貯留手段の一部又は全部が傾動可能にされている場合、前記複数のブロック材を積み上げたときに、少なくとも上部のブロック材と前記景品貯留手段の相対移動を規制する規制部材を有するものとすることができる。
【００２２】
このような構成とすることにより、上部のブロック材が規制部材によって相対移動が規制されることで、積み上げたブロック材にずれ動くような動きをさせることができ、崩れそうなブロック材の動きを表現することができる。
【００２３】
この場合、前記規制部材は前記景品貯留手段側と前記少なくとも上部のブロック材とを連結したひも部材とすることができる。
【００２４】
このような構成とすることにより、上部のブロック材がひも部材によって動きが規制されて積み上げたブロック材がずれ動くような動きを表現することができる。
【００２５】
本発明の他の景品供給装置は、台上の景品を移動させて払出口に落下させるゲーム装置に用いられる景品供給装置であって、
景品を保持でき、かつ、景品を落下可能に形成された景品貯留手段と、
前記景品貯留手段を景品保持状態に支持する支え手段と、
積み上げ可能な複数のブロック材とを有し、
前記複数のブロック材のうち少なくとも１つが前記支え手段に連結され、
積み上げられた前記複数のブロック材が台上の景品に押されて崩れるか又は台上から落下したときに前記支え手段の支持を解除することを特徴とする。
【００２６】
本発明によれば、支え手段の支えを外すことが小さな力でも十分なため、景品の総重量が大きくなっても、ブロック材の重さによって確実に支えを外すことができ、景品の総重量による影響をあまり受けることがないようにすることができる。
【００２７】
また、ブロック材についても前述の発明と同様の作用、効果を奏することができる。
【００２８】
本発明においては、前記景品貯留手段は一部又は全部が傾動可能に形成され、前記支え手段の支持を解除したときに傾動するようにすることができる。
【００２９】
このような構成とすることにより、複数のブロック材が台上の景品に押されて崩れるか又は台上から落下したときに景品貯留手段を傾動させて景品を落下させるようにすることができる。
【００３０】
これらの発明においては、前記複数のブロック材は、ひも部材により各々が分離しないように連結されるようにすることができる。
【００３１】
このような構成とすることにより、ブロック材が景品と一緒に払い出されるのを防止することができる。
【００３２】
本発明においては、前記複数のブロック材は内部に貫通穴を有し、前記貫通穴に通したひも部材により数珠繋ぎの形態で繋がれており、下端のブロック材は前記ひも部材の抜け止め部材をさらに有するものとすることができる。
【００３３】
このような構成とすることにより、抜け止め部材によりひも部材からブロック材が抜け落ちるのを防止することができ、しかも、ひも部材を引っ張ることでブロック材を容易に復帰させるようにすることができる。
【００３４】
なお、抜け止め部材は下端のブロック材と一体的に設けられてもよく、その場合は下端のブロック材は貫通穴は省略してもよい。
【００３５】
本発明においては、前記景品貯留手段は、筒部材と、前記筒部材の下端開口を塞ぎ景品を保持する傾動可能な蓋部材とを有するものとすることができる。
【００３６】
このような構成とすることにより、積み上げにくい景品を筒部材内に収容し、蓋部材にて落下を防止することにより、景品によるディスプレイ効果を高めることができる。
【００３７】
この場合、前記筒部材は取り外し可能に設けられ、下端開口を塞ぐ傾動可能な補助蓋部材をさらに有するものとすることができる。
【００３８】
このような構成とすることにより、筒部材内の景品を落下させた後、筒部材を取り外して内部に景品を再充填し、補助蓋部材をした状態で再設置することにより、景品の補充を容易に行うことができる。
【００３９】
また、補助蓋部材を蓋部材の傾動時に同時に傾動させることで、景品を落下させることも可能である。
【００４０】
本発明においては、前記筒部材は保持する景品の量を変える容量変化部材を有するものとすることができる。
【００４１】
このような構成とすることにより、容量変化部材により筒部材が保持する景品の量を変えることで、景品の量に対応したディスプレイ効果を得ることができる。
【発明を実施するための最良の形態】
【００４２】
以下、本発明の実施の形態について、図面を参照して詳細に説明する。
【００４３】
図１〜図８は、本発明の一実施の形態に係る景品供給装置を用いた景品獲得ゲーム装置を示す図である。
【００４４】
図１は、本実施の形態に係る景品獲得ゲーム装置の全体概略斜視図であり、この景品獲得ゲーム装置１０は、筐体１２の上面に透明なプラスチックからなるディスプレイドーム１４が設けられ、このディスプレイドーム１４内には多数の景品１６が載置されたターンテーブル１８が一定方向に一定速度で回転する状態で設けられている。
【００４５】
また、ディスプレイドーム１４内には、ターンテーブル１８上の景品１６を掬い上げるためのショベル２０がアーム２２によってターンテーブル１８側の掬い上げ位置と掬い上げた景品１６を落下させる景品落下位置との間を移動可能に設けられるとともに、景品落下位置の下方には複数の景品１６が載せられる台である固定テーブル２４が設けられている。
【００４６】
固定テーブル２４の一端側の下方には、筐体１２の外周部に設けられた景品取り出し口２６に連通された払出口２８が設けられ、固定テーブル２４の他端側（ディスプレイドーム１４の中心側）には、固定テーブル２４上を矢印Ａ方向に往復移動するスライドテーブル３０が設けられている。
【００４７】
また、筐体１２には、操作部３２が設けられ、この操作部３２には所定のコインを投入するコイン投入部３４やショベル２０を作動する２個の作動ボタン３６ａ、３６ｂが設けられている。
【００４８】
そして、プレーヤがコイン投入部３４よりコインを投入し、作動ボタン３６ａ、３６ｂを操作してショベル２０によりターンテーブル１８上の景品１６を掬い上げ、掬い上げた景品１６を固定テーブル２４上に落下させると、固定テーブル２４上の景品がスライドテーブル３０の移動によって払出口２８側に押し出されて落下することで景品１６が獲得できるようになっている。
【００４９】
なお、この景品獲得ゲーム装置１０には、４箇所の操作部３２と、それに所属するショベル２０等がターンテーブル１８の周りに設けられ、４人同時にプレーすることができるようになっている。
【００５０】
また、この景品獲得ゲーム装置１０では、各固定テーブル２４に対応して、４箇所に一挙に多数の、あるいはターンテーブル上には置かれていない高級、あるいは特別な景品を獲得できるチャンスを与えるためのジャックポット用の景品供給装置３８が設けられている。
【００５１】
この景品供給装置３８は、図２〜図４に示すように、景品貯留手段４０と、ブロック材６２とを有し、景品貯留手段４０が取付け部材５４を介して固定テーブル２４の上方に位置するように筐体１２に取り付けられている。
【００５２】
取付け部材５４は、一対の取付けブラケット５６と、この取付けブラケット５６奥側先端部に立ち上がり状態で脱着可能に取り付けられた金属製の背板５８とを有している。
【００５３】
背板５８には、マグネット５２が取り付けられている。
【００５４】
景品貯留手段４０は、ジャックポット用の景品４４を保持するためのもので、筒部材４６と、蓋部材４８とを有している。
【００５５】
筒部材４６は、景品４４を収容する透明なチューブ状のもので、内部に収容した景品４４が外部から視認できるようになっていて、ディスプレイ効果を高めるようになっている。
【００５６】
また、筒部材４６の下部には自由に開閉する補助蓋部材６８が設けられている。
【００５７】
この補助蓋部材６８は、手前側が下降傾動可能にされ、取り外した際に手で押さえることで筒部材４６の下端開口を塞ぐようになっている。
【００５８】
この筒部材４６に収容される景品４４は、ターンテーブル１８上に載置されるような景品１６に限らず、ショベル２０で掬えないようなものも用いることができる。
【００５９】
また、筒部材４６は、背部５０が湾曲した状態で、取り外し可能となっており、湾曲した凸側を内側あるいは外側にして取り付けることで、筒部材４６の容量を変化させる容量変化部材として働き、景品４４の量に対応したディスプレイ効果が得られるようになっている。
【００６０】
さらに、筒部材４６の背部５０には、板金５３が取り付けられており、この板金５３とマグネット５２とにより筒部材４６が取付け部材５４の背板５８に対して脱着可能にされている。
【００６１】
蓋部材４８は、筒部材４６の下端部を開閉するもので、フラットな板状をなし、その奥側先端が傾動支点６０を中心にして、上面が払出口２８側に下降するように傾動可能に取付けブラケット５６の奥側先端に取り付けられている。
【００６２】
ブロック材６２は、蓋部材４８の傾動を決定するもので、積み重ねられた複数、例えば８個のブロック材６２からなり、図２に示すように、積み重ねた状態でブロック材６２を固定テーブル２４上に載置し、上端のブロック材６２によって蓋部材４８の下面を支持させるようにすることで、蓋部材４８による筒部材４６の下端部の閉塞状態が維持できる。
【００６３】
この状態で、筒部材４６内に収容された景品４４は落下することなく、収容状態が維持され、ディスプレイ効果を高めることができる。
【００６４】
そして、スライドテーブル３０によって固定テーブル２４上の景品１６が押されてブロック材６２にぶつかると、ブロック材６２が景品１６によって押されて払出口側に移動したり、回転したり、徐々に形が崩れたりしながらも蓋部材４８を略水平状態に保ち続ける。
【００６５】
この場合、ブロック材６２は、景品１６によって同じように押されても、回転したり、違う曲がり方でずれ動いたりするので全く異なった様子を見せ、ブロック材６２の変化によるスリル感を楽しみながらプレーを行うことができ、また、隣のプレーにも興味を持たせることができる。
【００６６】
さらに、ブロック材６２を図６に示すように正対した状態に置いて、景品４４のあたる面積を大きくしてペイアウト率を上げたり、図７に示すようにブロック材６２を斜めに置いて、景品４４のあたる面積を小さくしてペイアウト率を下げたり、あるいは、図８に示すようにブロック材６２を斜めの状態と正対状態のように交互に積み重ねて今にも崩れそうな演出をしたりすることも可能である。
【００６７】
そして、図４に示すように、最終的にブロック材６２が崩れ落ちるか又は固定テーブル３０から落下すると、ブロック材６２による蓋部材４８の支持が解除されて、蓋部材４８と補助蓋部材６８が自重により払出口２８側が下降するように傾動して、筒部材４６の下端が開放され、内部の景品４４が払出口２８に払い出されることとなる。
【００６８】
このように、蓋部材４８が払出直前まで略水平状態を維持し、徐々に傾斜するということがないので、途中で景品４４が崩れることがなく、高いディスプレイ効果が得られる。
【００６９】
また、各ブロック材６２は、固定部である取付け部材５４側に連結したひも部材６４により完全には分離しないように連結されており、倒れた際に払出口２８に払い出されないようになっている。
【００７０】
このひも部材６４は、上部のブロック材６２と景品貯留手段４０の相対移動を規制する規制部材とされている。
【００７１】
規制部材としては、例えば上部のブロック材６２の上面に突起を設け、蓋部材４８の下端に凹部を設けるようにしたものでもよい。
【００７２】
さらに、このひも部材６４は、蓋部材４８を通してブロック材６２に連結され、ひも部材６４に設けられた引き手６６を引くことで、ブロック材６２を倒れた状態から積み重ね状態に復帰させる復帰手段及び蓋部材４８を水平状態に復帰させる復帰手段兼用とされ、復帰作業が容易になっている。
【００７３】
より詳細には、各ブロック材６２に貫通穴が設けられており、その貫通穴にひも部材６４を通している。
【００７４】
さらに、一番下になるブロック材６２にはひも部材６４が抜けないように抜け止め部材６５が設けられている。
【００７５】
ひも部材６４は各ブロック材６２を積み上げた高さよりも幾分長い所定の長さを有している。
【００７６】
そのため、各ブロック材６２が固定テーブル２４上で相対的にずれ動くことができる。
【００７７】
ひも部材６４は、ゴムやスプリングであってもよい。
【００７８】
また、各ブロック材６２がバラバラに分離することだけを避けるならば、各ブロック材６２間それぞれを別のひもで繋ぐように形成することでもよい。
【００７９】
また、本実施の形態ではひも部材６４を使っているが、使わなくてもよい。その場合、ブロック材６２は固定テーブル２４上から景品４４と共に払出口へ落下してしまうことがあるが、例えば箱型景品をブロック材として使えば落下させることが可能となる。
【００８０】
筒部材４６に対して景品４４を再度収容させるには、ディスプレイドーム１４を開け、筒部材４６を背板５８から取り外して、ディスプレイドーム１４外で行えば容易に作業がなし得る。
【００８１】
筒部材４６に景品を収容した後、補助蓋部材６８を押さえながら背板５８に再度取り付けられるので、内部の景品が落下してしまうこともない。
【００８２】
また、この景品供給装置３８は、図５に示すように、取付け部材５４の背板５８及び筒部材４６を取り外すことにより、蓋部材４８を景品貯留手段４０自体として用いることができ、この場合には、蓋部材４８上に景品４４を箱積みするようにして用いることができる。
【００８３】
この実施の形態においては、積み重ねられたブロック材６２によって蓋部材４８を直接支持するようにしているが、この例に限らず、例えば図示せぬが、ブロック材６２によって蓋部材４８を支持せず、蓋部材４８に略水平状態を保つ付勢手段を設け、ブロック材６２と蓋部材４８とを連結しておくことで、ブロック材６２が景品４４に押されて崩れるか固定テーブル２４上から落下した際に蓋部材４８に連結されたブロック材６２の自重により蓋部材４８が引き下げられ、傾動するようにすることも可能である。
【００８４】
図９〜図１１には、景品供給装置の他の実施の形態を示す。
【００８５】
この景品供給装置７０は、図９に示すように、取付け部材７２の奥側端に、その奥側先端が傾動支点７４を中心にして、上面が払出口２８側に下降するように傾動可能にフラットな形状の景品貯留手段７６を取り付けるとともに、支え手段としての支持ロッド８０と、支持ロッド８０に連結されたひも９６を有するブロック材９８が設けられている。
【００８６】
支持ロッド８０は、景品貯留手段７６の手前側端に側方に突出して取付け部材７２の係合孔７８（図１０及び図１１参照）に係合することで、景品貯留手段７６を略水平状態に支持するようになっている。
【００８７】
この支持ロッド８０は、景品貯留手段７６の支持ロッド収容部８２内に先端が進出孔８４より進出可能に収容されるとともに、スプリング８６により退行方向に付勢された状態となっている。
【００８８】
また支持ロッド８０の途中位置には、ストッパー部８８が軸方向と交差する方向に突出形成されており、支持ロッド収容部８２の底壁８７には、図１１に示すように、ストッパー部８８を突出させてスライド可能にするスライド溝９０が形成され、前壁９２にはスライド溝９０の左端と連続してストッパー部８８の係止溝９４が形成された状態となっている。
【００８９】
そして、このストッパー部８８にブロック材９８のひも９６が連結されている。
【００９０】
したがって、景品貯留手段７６を略水平状態なるまで前端を持ち上げ、その位置でストッパー部８８をスライド溝９０の左端まで移動させると、支持ロッド８０の先端部が係合孔７８に係合する状態となり、そこからストッパー部８８を係止溝９４に沿って持ち上げると、ストッパー部８８が係止溝９４と係合して景品貯留手段７６が略水平状態で支持された状態となる。
【００９１】
この状態で、固定テーブル２４上に置かれたブロック材９８が景品４４によって押されて固定テーブル２４上から落下すると、ひも９６がストッパー部８８を回転させて係止溝９４との係合を解除させることとなり、これによってスプリング８６の付勢力により支持ロッド８０が退行して係合孔７８との係合が解除されることとなる。
【００９２】
そして、支持ロッド８０の係合が解除されると、景品貯留手段７６が自重で傾動して景品４４を払い出すようになっている。
【００９３】
この場合、支持ロッド８０の係合解除は比較的小さな力で行えるため、景品４４の重量に影響されることなく景品４４の払い出しが可能となる。
【００９４】
また、ブロック材９８が景品４４の重量を直接受けないようにできるため、ブロック材９８同士がより自由に動ける。
【００９５】
この実施の形態では、景品貯留手段７６がフラットなものとされているが、前記実施の形態のように筒部材を用い、景品貯留手段７６を筒部材の蓋部材として用いることも可能である。
【００９６】
また、本実施の形態における支持ロッド８０を省略し、景品貯留手段７６に略水平状態を保つ付勢手段を設けるようにすることも可能である。
【００９７】
さらに、本実施の形態におけるブロック材９８を前記実施の形態における複数のブロック材に置き換えることも可能である。
【００９８】
図１２及び図１３は、その他の実施の形態に係る景品供給装置を示す概略斜視図である。
【００９９】
図１２は、景品貯留手段１００が中央から左右に分離して傾動するタイプである。複数のブロック材６２を積み重ねて景品貯留手段１００の下部にセットし、景品貯留手段１００を水平に保ち、景品４４を保持した状態にしておく。
【０１００】
この状態から移動する景品に押されてブロック材６２が崩れたときに景品貯留手段１００が図のように左右に分離して保持していた景品４４が落下するものである。
【０１０１】
ブロック材６２は、景品４４と共に払い出されてもいいし、本体のどこかにひも等で連結されていていてもいい。
【０１０２】
図１３は、景品貯留手段１０２が傾動しないタイプのものである。
【０１０３】
景品貯留手段１０２に設けられた穴部１０４を、底シート１０６が塞いだ状態で景品４４を保持しておく。
【０１０４】
底シート１０６は、ひも１０８を介してブロック材６２に連結されている。
【０１０５】
この状態から移動する景品に押されてブロック材６２が崩れたときに図のように底シート１０６がブロック材６２に引かれ、塞がれていた穴部１０４が現れて保持していた景品４４が落下するものである。
【０１０６】
本発明は、前記実施の形態に限定されるものではなく、本発明の要旨の範囲内において種々の形態に変形可能である。
【０１０７】
例えば、前記実施の形態では、景品供給装置を景品獲得ゲームに適用する場合について説明したが、この例に限らず、メダルプッシャーゲーム装置においてメダルを払い出す払出装置として用いることも可能である。
【図面の簡単な説明】
【０１０８】
【図１】本発明の一実施の形態に係る景品供給装置を用いた景品獲得ゲーム装置の概略斜視図である。
【図２】図１の景品供給装置の景品保持状態を示す拡大側面図である。
【図３】図１の景品供給装置の正面図である。
【図４】図１の景品供給装置の景品払い出し状態を示す拡大側面図である。
【図５】図１及び図２の筒部材及び背板を取り外した状態を示す拡大側面図である。
【図６】本実施の形態におけるブロック材を正対状態に配置した状態を示す斜視図である。
【図７】本実施の形態におけるブロック材を斜め状態に配置した状態を示す斜視図である。
【図８】本実施の形態におけるブロック材を正対状態と斜め状態を交互に積み上げた状態を示す斜視図である。
【図９】本発明の他の実施の形態に係る景品供給装置を示す斜視図である。
【図１０】図９の支持ロッド収容部を長さ方向に切断した横断面図である。
【図１１】図９の支持ロッド収容部を長さ方向に切断した縦断面図である。
【図１２】他の実施の形態に係る景品供給装置の概略説明図である。
【図１３】さらに他の実施の形態に係る景品供給装置の概略説明図である。
【符号の説明】
【０１０９】
２４  固定テーブル
２８  払出口
３０  スライドテーブル
３８、７０  景品供給装置
４０、７６、１００、１０２  景品貯留手段
４４  景品
４６  筒部材
４８  蓋部材
６０、７４  傾動支点
６２、９８  ブロック材
６４  ひも部材
６８  補助蓋部材
９６  ひも
【図１】
2006175039.tif 000003
【図２】
2006175039.tif 000004
【図３】
2006175039.tif 000005
【図４】
2006175039.tif 000006
【図５】
2006175039.tif 000007
【図６】
2006175039.tif 000008
【図７】
2006175039.tif 000009
【図８】
2006175039.tif 000010
【図９】
2006175039.tif 000011
【図１０】
2006175039.tif 000012
【図１１】
2006175039.tif 000013
【図１２】
2006175039.tif 000014
【図１３】
2006175039.tif 000015